(57)【要約】      （修正有）【課題】電池の磁場による影響を防ぐことができる電子機器および時計を提供する。【解決手段】電池１６および磁気センサ１８が組み込まれる時計モジュール１０と、少なくとも電池１６の一部に重なり、電池１６を時計モジュール１０下面に配置されるベース板部材２１、及び、電池１６と磁気センサ１８との間に配置される側板部から形成されるシート貼付部材２０と、ベース板部材２１と側板部とに設けられた磁性シートと、を備え、磁性シートはベース板部材２１のうち少なくとも下側からの平面視で電池１６と重なる部分に配置される。ベース板部材２１のうち電池２０に重なる部分と側板部とに設けられた磁性シートによって、電池１６が発生する電磁場を遮蔽することができるので、磁気センサ１８が電池１６の磁場による影響を受けないようにすることができる。【選択図】図３
2020101397.tif 000002
【特許請求の範囲】
【請求項１】
平面視において重ならない位置に配置された電池および磁気部品が組み込まれる板状のモジュールと、
少なくとも前記電池の一部に重なり、前記モジュールの一方の面に配置されるベース板部、及び、前記電池と前記磁気部品との間に配置される側板部から形成されるシート貼付部材と、
前記ベース板部と前記側板部とに亘って設けられた磁性シートと、
を備えることを特徴とする電子機器。
【請求項２】
請求項１に記載の電子機器において、前記磁性シートは前記ベース板部材のうち少なくとも平面視で前記電池と重なる部分に配置されることを特徴とする電子機器。
【請求項３】
請求項１または請求項２に記載の電子機器において、前記磁性シートは前記ベース板部材のうち少なくとも平面視で前記電池と重なる部分に配置され、かつ、前記磁気部品と重ならないように配置されることを特徴とする電子機器。
【請求項４】
請求項１〜請求項３に記載の電子機器において、前記磁気部品は磁気センサであることを特徴とする電子機器。
【請求項５】
請求項１〜請求項４に記載の電子機器において、前記磁性シートは、前記シート貼付部材の前記ベース板部材に配置される第１磁性シート部と、前記シート貼付部材の前記側板部に配置される第２磁性シート部と、を備えていることを特徴とする電子機器。
【請求項６】
請求項５に記載の電子機器において、前記第１磁性シート部は、平面視における前記電池の中心部と前記磁気センサの中心部とを結ぶ直線方向の長さが前記電池の外径よりも長く、且つ前記直線方向と直交する方向の長さが前記電池の外径よりも短く形成されていることを特徴とする電子機器。
【請求項７】
請求項５または請求項６に記載の電子機器において、前記第１磁性シート部の面積は、前記ベース板部材と同じ、または、小さいことを特徴とする電子機器。
【請求項８】
請求項６に記載の電子機器において、前記第１磁性シート部は、平面視における前記電池の中心部と前記磁気センサの中心部とを結ぶ前記直線に重なることを特徴とする電子機器。
【請求項９】
請求項６〜請求項８に記載の電子機器において、前記第２磁性シート部は、前記電池の中心部と前記磁気センサの中心部とを結ぶ直線と交わることを特徴とする電子機器。
【請求項１０】
請求項６〜請求項９のいずれかに記載の電子機器において、前記第２磁性シート部は、平面視における前記電池の中心部と前記磁気センサの中心部とを結ぶ前記直線方向と直交する方向の長さが前記磁気センサよりも長く形成されていることを特徴とする電子機器。
【請求項１１】
請求項６〜請求項１０のいずれかに記載の電子機器において、前記第２磁性シート部は、平面視における前記電池の中心部と前記磁気センサの中心部とを結ぶ前記直線方向と直交する方向の長さが、前記第１磁性シートと同じか、それよりも長く形成されていることを特徴とする電子機器。
【請求項１２】
請求項４〜請求項１１のいずれかに記載の電子機器において、前記電池が電気的に接続されて前記磁気センサが搭載される回路基板を前記モジュール内に備え、前記回路基板は、前記電池の上面側に配置されていることを特徴とする電子機器。
【請求項１３】
請求項１〜請求項１２のいずれかに記載の電子機器において、前記電池は釦電池であることを特徴とする電子機器。
【請求項１４】
請求項１〜請求項１３のいずれかに記載された電子機器であることを特徴とする時計。
【発明の詳細な説明】
【技術分野】
【０００１】
この発明は、腕時計や携帯通信機、携帯端末機などの電子機器および時計に関する。
【背景技術】
【０００２】
例えば、方位計付電子腕時計においては、特許文献１に記載されているように、内部に電池を備え、この電池の上下面に耐磁板を設け，この耐磁板によって電池に生じる電磁場が方位計の測定に障害を及ぼさないように構成されたものが知られている。
【先行技術文献】
【特許文献】
【０００３】
【特許文献１】国際公開第１９９９／６７５９６号
【発明の概要】
【発明が解決しようとする課題】
【０００４】
しかしながら、電池の上下面にのみ耐磁板を設けた構成では、方位計を電池に近い位置に配置する場合、方位計が電池の磁場の影響を強く受けてしまうため、十分に電池から生じる電磁場の影響を抑えることができないという問題がある。
【０００５】
この発明が解決しようとする課題は、電池の磁場による影響を防ぐことができる電子機器および時計を提供することである。
【課題を解決するための手段】
【０００６】
この発明は、平面視において重ならない位置に配置された電池および磁気部品が組み込まれる板状のモジュールと、少なくとも前記電池の一部に重なり、前記モジュールの一方の面に配置されるベース板部、及び、前記電池と前記磁気部品との間に配置される側板部から形成されるシート貼付部材と、前記ベース板部と前記側板部とに亘って設けられた磁性シートと、を備えることを特徴とする電子機器である。
【発明の効果】
【０００７】
この発明によれば、電池の磁場による影響を防ぐことができる。
【図面の簡単な説明】
【０００８】
【図１】この発明を腕時計に適用した一実施形態を示した拡大正面図である。
【図２】図１に示された腕時計のＡ−Ａ矢視における拡大断面図である。
【図３】図２に示された腕時計において、裏蓋を取り外した状態を示した拡大裏面図である。
【図４】図２に示された腕時計の時計モジュールを示し、（ａ）はシート貼付部材を取り外した状態の拡大裏面図、（ｂ）は（ａ）の時計モジュールにシート貼付部材を取り付けた状態のＢ−Ｂ矢視における拡大断面図である。
【図５】図４に示された時計モジュールの回路基板を示した拡大裏面図である。
【図６】図２に示された時計モジュールのシート貼付部材を示し、（ａ）はその拡大裏面図、（ｂ）は（ａ）のＣ−Ｃ矢視における拡大断面図である。
【図７】図６に示されたシート貼付部材の変形例を示した拡大裏面図である。
【発明を実施するための形態】
【０００９】
以下、図１〜図６を参照して、この発明を腕時計に適用した一実施形態について説明する。
この腕時計は、図１および図２に示すように、腕時計ケース１を備えている。この腕時計ケース１は、ケース本体２と外装部材３とを備えている。ケース本体２は、剛性の高いポリアミド樹脂にカーボン繊維またはガラス繊維を含有させたもので、重量が軽く強度の高いものである。
【００１０】
外装部材３は、図１および図２に示すように、ケース本体２の外周に設けられた第１外装部３ａと、この第１外装部３ａの上部外周を覆う第２外装部３ｂと、を備えている。第１外装部３ａは、ウレタン樹脂などの軟質の合成樹脂で形成されており、第２外装部３ｂは、ステンレスやチタンなどの金属で形成されている。
【００１１】
この腕時計ケース１の１２時側と６時側とには、図１に示すように、時計バンド（図示せず）が取り付けられるバンド取付部４がそれぞれ設けられている。この腕時計ケース１の２時側、４時側、６時側、８時側、および１０時側には、押釦スイッチ５がそれぞれ設けられており、この腕時計ケース１の３時側には、腕時計ケース１の外部の気圧や水圧などの圧力を検出する圧力センサ部６が設けられている。
【００１２】
また、この腕時計ケース１の上部開口部には、図１および図２に示すように、時計ガラス７がパッキン７ａを介して設けられている。この腕時計ケース１の下部には、裏蓋８が防水リング８ａを介して取り付けられている。この腕時計ケース１の内部には、時計モジュール１０が設けられている。この時計モジュール１０は、上部ハウジング１１と下部ハウジング１２とを備えている。
【００１３】
この場合、下部ハウジング１２の下面には、図２および図４に示すように、地板１３が配置されている。この地板１３は、ステンレスなどの薄い金属板であり、外周部に複数のフック部１３ａが設けられた構造になっている。これにより、地板１３は、複数のフック部１３ａが下部ハウジング１２の側面を経て上部ハウジング１１の側面に延びて固定されることにより、上部ハウジング１１と下部ハウジング１２とを重ね合わせて取り付けるように構成されている。
【００１４】
上部ハウジング１１には、図２に示すように、指針１４ａを文字板１４ｂの上方で運針させて時刻を指示する時計ムーブメント（図示せず）と、時刻や日付、曜日などの時計機能に必要な各種の情報を電気光学的に表示する表示部１５と、が設けられている。下部ハウジング１２の６時側には、電源を供給する電池１６を収容する電池収容部１２ａが設けられている。この場合、電池１６は、リチュームイオン電池などの釦電池であり、電池収容部１２ａ内に収容された状態で、電池押え板１６ａによって押えられている。
【００１５】
また、上部ハウジング１１と下部ハウジング１２との間には、図２〜図５に示すように、回路基板１７が設けられている。この回路基板１７は、電池１６が電気的に接続されて電池１６の電力が供給され、この状態で時計ムーブメントおよび表示部１５を電気的に制御して駆動するように構成されている。この場合、電池１６は、回路基板１７の下面との間に隙間をもって配置されている。
【００１６】
また、この回路基板１７は、図２〜図５に示すように、１２時側の外周部に上部ハウジング１１と下部ハウジング１２との間から１２時側に向けて突出する突出部１７ａが設けられ、この突出部１７ａの下面に磁気センサ１８が設けられている。この磁気センサ１８は、方位センサであり、腕時計ケース１の外部の磁界を検出して検出信号を出力し、この出力された検出信号に基づいて指針１４ａを運針させて方位を指示させるためのものであり、電池１６から離れた位置に設けられている。
【００１７】
この場合、腕時計ケース１のケース本体２の内部には、図２および図３に示すように、回路基板１７の１２時側の突出部１７ａと磁気センサ１８とを収容するセンサ収容部２ａが設けられている。また、上部ハウジング１１と下部ハウジング１２との間には、図２および図４（ｂ）に示すように、回路基板１７が配置される基板収容部１９が設けられている。
【００１８】
ところで、下部ハウジング１２の下面側には、図２〜図４、図６に示すように、シート貼付部材２０が地板１３を介して配置されている。このシート貼付部材２０は、時計モジュール１０つまり上部ハウジング１１と下部ハウジング１２とを腕時計ケース１のケース本体２内に押え付けるためのものであり、ポリアセタールなどの合成樹脂によって形成されている。
【００１９】
このシート貼付部材２０は、図２〜図４、図６に示すように、下部ハウジング１２の下面に重なるベース板部材２１と、電池１６と磁気センサ１８との間にこれらを遮るように配置される側板部２２と、を備えている。ベース板部材２１は、外形が下部ハウジング１２の下面の外形とほぼ同じ大きさに形成されている。
【００２０】
このベース板部材２１の下面における中央部には、図３および図６に示すように、円形状の逃し凹部２１ａが設けられている。この逃し凹部２１ａは、裏蓋８の内面に設けられた圧電素子（図示せず）に対応して設けられている。これにより、逃し凹部２１ａは、裏蓋８がケース本体２の下部に取り付けられた際に、圧電素子が配置されるように構成されている。
【００２１】
また、このベース板部材２１には、図３および図６に示すように、６時側の端部から１２時側の端部近傍に亘って帯状の取付凹部２１ｂが設けられている。この取付凹部２１ｂは、その深さが逃し凹部２１ａよりも深く形成され、６時側と１２時側とを結ぶ直線方向の長さが電池１６の外径よりも長く形成されている。
【００２２】
また、この取付凹部２１ｂは、図３および図６に示すように、６時側と１２時側とを結ぶ直線に対して直交する方向の長さ（横幅）が、電池１６の外径よりも短く形成され、かつ磁気センサ１８における６時側と１２時側とを結ぶ直線と直交する方向の長さ（大きさ）よりも長く形成されている。これにより、取付凹部２１ｂは、全体が帯状に長く形成されている。
【００２３】
一方、側板部２２は、図２〜図４、図６に示すように、電池１６と磁気センサ１８との間におけるベース板部材２１の上面にその上方に向けて突出して設けられている。このため、側板部２２は、下部ハウジング１２に設けられたスリット状の長穴１２ｂ内に挿入されて配置されることにより、電池１６と磁気センサ１８との間を遮るように構成されている。側板部２２により、磁性シート２３を電池の側面側に設けることが容易となるため、電池１６がボタン電池であり、側面が平面でない場合でも側面側に磁性シート２３を配置することができる。
【００２４】
すなわち、この側板部２２は、図２〜図４、図６に示すように、電池１６の外周部と逃し凹部２１ａの内周部との間に位置する取付凹部２１ｂの箇所、つまり磁気センサ１８よりも電池１６側に近い取付凹部２１ｂの箇所にベース板部材２１の上方に向けて一体に形成されている。この場合、側板部２２は、シート貼付部材２０を射出成型する際にシート貼付部材２０に一体に形成されていても良く、また取付凹部２１ｂの端部を切り起しによって一体に形成されていても良い。
【００２５】
これにより、側板部２２は、図２〜図４、図６に示すように、電池１６の中心部と磁気センサ１８の中心部とを結ぶ直線上にその直線を横切って設けられている。この場合、側板部２２は、電池１６の中心部と磁気センサ１８の中心部とを結ぶ直線に対して直交する方向の長さが、取付凹部２１ｂの横幅と同じ長さで、且つ磁気センサ１８における電池１６の中心部と磁気センサ１８の中心部とを結ぶ直線と直交する方向の長さ（大きさ）よりも長く形成されている。
【００２６】
また、この側板部２２は、図２〜図４、図６に示すように、その上下方向の長さが、電池１６の厚み方向つまり電池１６の上下方向の長さと同じか、それよりも僅かに長く形成されている。これにより、側板部２２は、その上下方向の長さが磁気センサ１８の上下方向の長さよりも十分に長く形成されている。
【００２７】
この場合、取付凹部２１ｂには、図２〜図４、図６に示すように、側板部２２の外形とほぼ同じか、それよりも少し大きい大きさの開口部２１ｃが、側板部２２から磁気センサ１８側つまり１２時側に位置する取付凹部２１ｂの端部に亘って設けられている。すなわち、この開口部２１ｃは、電池１６の中心部と磁気センサ１８の中心部とを結ぶ直線方向の長さが、側板部２２の上下方向の長さと同じか、それよりも少し長く形成されている。
【００２８】
また、この開口部２１ｃは、図２〜図４、図６に示すように、電池１６の中心部と磁気センサ１８の中心部とを結ぶ直線に対して直交する方向の長さが、これと同じ方向の側板部２２の長さ、つまり同じ方向の取付凹部２１ｂの長さ（横幅）と同じか、それよりも少し大きく形成されている。
【００２９】
ところで、シート貼付部材２０には、図２〜図４、図６に示すように、磁性シート２３が設けられている。この磁性シート２３は、電池１６で発生した電磁場を遮蔽するためのものであり、シート貼付部材２０のベース板部材２１に設けられた開口部２１ｃを含む取付凹部２１ｂの全長とほぼ同じか、それよりも少し長い帯状に形成されている。
【００３０】
すなわち、この磁性シート２３は、図２〜図４、図６に示すように、シート貼付部材２０のベース板部材２１に設けられた取付凹部２１ｂ内に配置される第１磁性シート部２３ａと、この第１磁性シート部２３ａの端部で折り曲げられて側板部２２に配置される第２磁性シート部２３ｂと、を備えている。
【００３１】
第１磁性シート部２３ａは、図２〜図４、図６に示すように、ベース板部材２１の取付凹部２１ｂ内に接着剤などによって設けられている。これにより、この第１磁性シート部２３ａは、電池１６の中心部と磁気センサ１８の中心部とを結ぶ直線方向の長さが電池１６の外径よりも長く、且つ電池１６の中心部と磁気センサ１８の中心部とを結ぶ直線方向と直交する方向の長さが電池１６の外径よりも短く形成されている。
【００３２】
すなわち、この第１磁性シート部２３ａは、図３および図６に示すように、ベース板部材２１の取付凹部２１ｂ内に設けられていることにより、電池１６の中心部と磁気センサ１８の中心部とを結ぶ直線に対して直交する方向の長さが、これと同じ方向の取付凹部２１ｂの長さ（横幅）と同じ長さで、且つ同じ方向における磁気センサ１８の長さよりも長く形成されている。
【００３３】
第２磁性シート部２３ｂは、図２〜図４、図６に示すように、シート貼付部材２０の側板部２２に接着剤などによって設けられている。これにより、電池側面方向に磁性シート２３が容易に配置される。また、この第２磁性シート部２３ｂは、電池１６の中心部と磁気センサ１８の中心部とを結ぶ直線上にその直線を横切って配置されるように構成されている。すなわち、第２磁性シート部２３ｂは、シート貼付部材２０の取付凹部２１ｂの開口部２１ｃにおける電池１６側の縁部で折り曲げられることにより、開口部２１ｃ内を通して側板部２２に配置されるように構成されている。
【００３４】
この場合、第２磁性シート部２３ｂは、図２〜図４、図６に示すように、シート貼付部材２０の側板部２２に配置されることにより、電池１６の中心部と磁気センサ１８の中心部とを結ぶ直線に対して直交する方向の長さ（横幅）が、ベース板部材２１の取付凹部２１ｂにおける電池１６の中心部と磁気センサ１８の中心部とを結ぶ直線と直交する方向の長さと同じ長さに形成されている。
【００３５】
すなわち、この第２磁性シート部２３ｂは、図２〜図４、図６に示すように、シート貼付部材２０の側板部２２に配置されることにより、電池１６の中心部と磁気センサ１８の中心部とを結ぶ直線に対して直交する方向の長さが、磁気センサ１８における電池１６の中心部と磁気センサ１８の中心部とを結ぶ直線と直交する方向の長さよりも十分に長く形成されている。
【００３６】
また、この第２磁性シート部２３ｂは、図２〜図４、図６に示すように、シート貼付部材２０の側板部２２に配置されることにより、上下方向の長さが、電池１６の厚み方向つまり電池１６の上下方向の長さと同じか、それよりも少し長く形成されている。これにより、第２磁性シート部２３ｂは、その上下方向の長さが磁気センサ１８の上下方向の長さよりも十分に長く形成されている。
【００３７】
次に、このような腕時計の作用について説明する。
この腕時計は、通常、腕時計ケース１内に組み込まれた時計モジュール１０の時計ムーブメント（図示せず）が指針１４ａを文字板１４ｂの上方で運針させることにより、時刻を指示する。このときには、表示部１５に時刻や日付、曜日などの情報が電気光学的に表示される。これにより、指針１４ａによって指示された時刻、および表示部１５に表示された情報を腕時計ケース１の上方から時計ガラス７を通して見ることができる。
【００３８】
また、複数の押釦スイッチ５のいずれかをスイッチ操作して、時計モードを方位モードに切り替えた際には、磁気センサ１８が腕時計ケース１の外部の磁界を検出し、この検出した信号が回路基板１７に与えられる。すると、磁気センサ１８から出力された検出信号に基づいて時計ムーブメント（図示せず）が指針１４ａを文字板１４ｂの上方で運針させて、方位を指示する。これにより、方位を知ることができる。
【００３９】
このときには、時計モジュール１０の電池１６が電磁場を発生しても、シート貼付部材２０に設けられた磁性シート２３によって電磁場の磁界が遮蔽される。このため、磁気センサ１８が電池１６の電磁場の影響を受けずに腕時計ケース１の外部の磁界を良好に検出することができる。
【００４０】
すなわち、磁性シート２３は、下部ハウジング１２の下面に重なるシート貼付部材２０のベース板部材２１に設けられた第１磁性シート部２３ａと、シート貼付部材２０の側板部２２に設けられた第２磁性シート部２３ｂと、を連続的に備えているので、電池１６に発生した電磁場が磁気センサ１８に影響を与えないように良好に遮蔽することができる。
【００４１】
この場合、第１磁性シート部２３ａは、電池１６の中心部と磁気センサ１８の中心部とを結ぶ直線方向の長さが電池１６の外径よりも長く形成されていることにより、直線方向と直交する方向の長さが電池１６の外径よりも短く形成されていても、電池１６で発生した電磁場のうち、電池１６の中心部と磁気センサ１８の中心部とを結ぶ直線方向の磁界を第１磁性シート部２３ａによって遮蔽して、磁気センサ１８が電池１６の磁界の影響を受けないようにすることができる。
【００４２】
この場合、第１磁性シート部２３ａは、電池１６の中心部と磁気センサ１８の中心部とを結ぶ直線方向と直交する方向の長さが、電池１６の外径よりも短く形成されているが、第１磁性シート部２３ａが電池１６の中心部と磁気センサ１８の中心部とを結ぶ直線にかかるように配置されることにより、効果的に磁気センサ１８が受ける電池１６の磁界を遮断し、少ない面積の磁性シート２３でも磁気センサ１８が電池１６の磁界の影響を受けないようにすることができる。
【００４３】
また、第２磁性シート部２３ｂは、電池１６の中心部と磁気センサ１８の中心部とを結ぶ直線上にその直線を横切って配置されていることにより、電池１６で発生した電磁場のうち、磁気センサ１８に向かう磁界を第２磁性シート部２３ｂによって遮蔽することができるので、これによっても磁気センサ１８が電池１６の磁界の影響を受けないようにすることができる。
【００４４】
この場合、第２磁性シート部２３ｂは、電池１６の中心部と磁気センサ１８の中心部とを結ぶ直線に対して直交する方向の長さが、第１磁性シート部２３ａにおける電池１６の中心部と磁気センサ１８の中心部とを結ぶ直線と直交する方向の長さと同じ長さに形成されていることにより、磁性シート２３をシート貼付部材２０に取り付ける際の工程を簡単にすることができ、磁性シート２３を電池１６の周囲に容易に配置することができる。
【００４５】
また、この場合、第２磁性シート部２３ｂにおける、電池１６の中心部と磁気センサ１８の中心部とを結ぶ直線に対して直交する方向の長さが電池１６の外径よりも短いが、第２磁性シート部２３ｂが、電池１６の中心部と磁気センサ１８の中心部とを結ぶ直線にかかるように配置されるため、電池１６の側面のうち磁気センサ１８に近い部分が第２磁性シート部２３ｂと重なることで、少ない面積の磁性シート２３でも、電池１６で発生した電磁場のうち、磁気センサ１８に向かう磁界を第２磁性シート部２３ｂによって良好に遮蔽することができる。
【００４６】
この第２磁性シート部２３ｂは、電池１６の中心部と磁気センサ１８の中心部とを結ぶ直線に対して直交する方向の長さが、磁気センサ１８における電池１６の中心部と磁気センサ１８の中心部とを結ぶ直線と直交する方向の長さよりも長く形成されていることにより、電池１６で発生した電磁場のうち、磁気センサ１８に向かう磁界を第２磁性シート部２３ｂによって確実に且つ良好に遮蔽することができる。
【００４７】
また、この第２磁性シート部２３ｂは、上下方向の長さが、電池１６の厚み方向つまり電池１６の上下方向の長さと同じか、それよりも少し長く形成され、且つ磁気センサ１８の上下方向の長さよりも十分に長く形成されていることにより、これによっても電池１６で発生した電磁場のうち、磁気センサ１８に向かう磁界を第２磁性シート部２３ｂによって確実に且つ良好に遮蔽することができるので、磁気センサ１８が電池１６の磁界の影響を受けないようにすることができる。
【００４８】
この場合、第２磁性シート部２３ｂが電池１６で発生した電磁場のうち、磁気センサ１８に向かう磁界を遮蔽することで、磁気センサ１８で腕時計ケース１の外部の磁界を良好に検出することができる。このため、電池１６と磁気センサ１８とを近づけることができ、これにより電池１６の大型化が図れると共に、時計モジュール１０の小型化が図れるので、腕時計全体の小型化が図れる。
【００４９】
ところで、電池１６を交換する場合には、まず、腕時計ケース１のケース本体２の下部から裏蓋８を取り外す。すると、図３に示すように、ケース本体２内の時計モジュール１０が露出する。この状態で、シート貼付部材２０を取り外すと、地板１３、電池押え板１６ａ、電池１６が露出し、この露出した電池押え板１６ａを下部ハウジング１２から取り外す。これにより、下部ハウジング１２の電池収容部１２ａ内から電池１６を取り外して新たな電池１６と交換することができる。
【００５０】
そして、電池１６を交換した後は、上述とは逆に、電池押え板１６ａで電池１６を下部ハウジング１２の電池収容部１２ａに収容し、下部ハウジング１２の下側にシート貼付部材２０を配置し、ケース本体２の下部に裏蓋８を取り付ける。このときには、シート貼付部材２０に磁性シート２３が設けられているので、この磁性シート２３によって電池１６で発生する電磁場を遮蔽することができる。このため、電池１６を交換するたびに、磁性シート２３を貼り替えたり取り替えたりする必要がないので、電池１６の交換が簡単に且つ容易にできる。
【００５１】
このように、この腕時計では、平面視において重ならない位置に配置された電池１６および磁気センサ１８が組み込まれる時計モジュール１０と、少なくとも電池１６の一部に重なり、時計モジュール１０の下面に配置されるベース板部材２１、及び、電池１６と磁気センサ１８との間に配置される側板部２２から形成されるシート貼付部材２０と、ベース板部材２１と側板部２２とに設けられた磁性シート２３と、を備えることにより、電池１６の磁場による影響を防ぐことができる。
【００５２】
すなわち、この腕時計では、ベース板部材２１のうち電池１６に重なる部分と側板部２２とに亘って設けられた磁性シート２３によって、電池１６が発生する電磁場を遮蔽することができるので、磁気センサ１８が電池１６の磁場による影響を受けないようにすることができる。また、磁性シート２３は第１磁性シート部２３ａと第２磁性シート部２３ｂが電池１６の中心部と磁気センサ１８の中心部とを結ぶ直線にかかるように配置されるため、少ない面積の磁性シート２３でも、電池１６で発生した電磁場のうち、磁気センサ１８に向かう磁界を良好に遮蔽することができる。
【００５３】
また、この腕時計によれば、電池収容領域である電池収容部１２ａと部品収容領域であるセンサ収容部２ａとを備えた腕時計ケース１のケース本体２と、このケース本体２の電池収容部１２ａに重なってケース本体２内に配置されるシート貼付部材であるシート貼付部材２０と、ベース板部材２１のうち電池収容部１２ａに重なる部分と側板部２２とに設けられた磁性シート２３と、を備えていることにより、電池収容部１２ａに電池１６を収容しても、電池１６の磁場による影響を防ぐことができる。
【００５４】
すなわち、この腕時計では、ベース板部材２１のうち電池収容部１２ａに重なる部分と側板部２２とに亘って設けられた磁性シート２３によって、電池１６が発生する電磁場を遮蔽することができるので、センサ収容部２ａに収容される磁気センサ１８が電池１６の磁場による影響を受けないようにすることができる。また、磁性シート２３は第１磁性シート部２３ａと第２磁性シート部２３ｂが電池収容部１２ａの中心部と、センサ収容部２ａの中心部とを結ぶ直線にかかるように配置されるため、少ない面積の磁性シート２３でも、電池１６で発生した電磁場のうち、磁気センサ１８に向かう磁界を良好に遮蔽することができる。
【００５５】
この場合、この腕時計では、電池収容部１２ａに電池１６が収容され、センサ収容部２ａに磁気センサ１８が収容されることにより、電池収容部１２ａに収容された電池１６が電磁場を発生しても、ベース板部材２１のうち電池収容部１２ａに重なる部分と側板部２２とに設けられた磁性シート２３によって、電池１６の電磁場を遮蔽することができるので、センサ収容部２ａに収容された磁気センサ１８が電池１６の磁場による影響を受けないようにすることができる。
【００５６】
また、この腕時計では、シート貼付部材２０が、電池１６の一面である下面に重なるベース板部材２１と、電池１６と磁気センサ１８との間にこれらを遮るように配置される側板部２２と、を備えていることにより、磁性シート２３をベース板部材２１と側板部２２とに取り付けることができるので、磁性シート２３をシート貼付部材２０に良好に取りけることができ、これにより電池１６の下面側と側面側とに容易に磁性シート２３を配置できるようになり、電池１６で発生する電磁場を磁性シート２３によって良好に遮蔽することができる。
【００５７】
また、この腕時計では、磁性シート２３が、シート貼付部材２０のベース板部材２１に配置される第１磁性シート部２３ａと、シート貼付部材２０の側板部２２に配置される第２磁性シート部２３ｂと、を備えていることにより、電池１６が電磁場を発生しても、これら第１磁性シート部２３ａと第２磁性シート部２３ｂとによって電池１６の電磁場を良好に遮蔽することができ、これにより、磁気センサ１８が電池１６の磁場による悪影響を受けないようにすることができる。
【００５８】
この場合、磁性シート２３は、シート貼付部材２０のベース板部材２１に設けられた取付凹部２１ｂの全長とほぼ同じか、それよりも少し長い帯状に形成され、且つこの取付凹部２１ｂの磁気センサ１８側の端部に開口部２１ｃが設けられていることにより、第１磁性シート部２３ａをベース板部材２１の取付凹部２１ｂ内に配置させて、第２磁性シート部２３ｂをシート貼付部材２０の取付凹部２１ｂの開口部２１ｃにおける電池１６側の縁部で折り曲げて、開口部２１ｃを通して側板部２２に配置させることができるので、磁性シート２３を簡単に且つ容易に取り付けることができる。
【００５９】
すなわち、第１磁性シート部２３ａは、電池１６の中心部と磁気センサ１８の中心部とを結ぶ直線方向の長さが電池１６の外径よりも長く形成されていることにより、電池１６で発生した電磁場のうち、電池１６の中心部と磁気センサ１８の中心部とを結ぶ直線方向の磁界を第１磁性シート部２３ａによって良好に遮蔽することができるので、磁気センサ１８が電池１６の磁界の影響を受けないようにすることができる。
【００６０】
また、この第１磁性シート部２３ａは、電池１６の中心部と磁気センサ１８の中心部とを結ぶ直線方向と直交する方向の長さが、電池１６の外径よりも短く形成されているが、電池１６の中心部と磁気センサ１８の中心部とを結ぶ直線上に配置されることにより、効果的に磁気センサ１８が電池１６の磁界の影響を受けないようにすることができる。
【００６１】
また、第２磁性シート部２３ｂは、電池１６の中心部と磁気センサ１８の中心部とを結ぶ直線上にその直線を横切って配置されていることにより、電池１６で発生した電磁場のうち、磁気センサ１８に向かう磁界を第２磁性シート部２３ｂによって確実に遮蔽することができるので、これによっても磁気センサ１８が電池１６の磁界の影響を受けないようにすることができる。
【００６２】
この場合、第２磁性シート部２３ｂは、電池１６の中心部と磁気センサ１８の中心部とを結ぶ直線に対して直交する方向の長さが、第１磁性シート部２３ａにおける電池１６の中心部と磁気センサ１８の中心部とを結ぶ直線と直交する方向の長さと同じ長さに形成されていることにより、磁性シート２３をシート貼付部材２０に取り付ける際の工程を簡単にすることができる。
【００６３】
すなわち、この第２磁性シート部２３ｂは、電池１６の中心部と磁気センサ１８の中心部とを結ぶ直線に対して直交する方向の長さが、磁気センサ１８における電池１６の中心部と磁気センサ１８の中心部とを結ぶ直線と直交する方向の長さよりも長く形成されていることにより、電池１６で発生した電磁場のうち、磁気センサ１８に向かう磁界を第２磁性シート部２３ｂによって確実に且つ良好に遮蔽することができる。
【００６４】
また、この第２磁性シート部２３ｂは、上下方向の長さが、電池１６の厚み方向つまり電池１６の上下方向の長さと同じか、それよりも少し長く形成され、且つ磁気センサ１８の上下方向の長さよりも十分に長く形成されていることにより、これによっても電池１６で発生した電磁場のうち、磁気センサ１８に向かう磁界を第２磁性シート部２３ｂによって確実に且つ良好に遮蔽することができるので、磁気センサ１８が電池１６の磁界の影響を受けないようにすることができる。
【００６５】
この場合、第２磁性シート部２３ｂは、磁気センサ１８よりも電池１６側に近い位置でシート貼付部材２０に設けられたベース板部材２１に設けられていることにより、電池１６が発生した電磁場のうち、磁気センサ１８に向かう磁界を第２磁性シート部２３ｂによって遮蔽しても、腕時計ケース１の外部の磁界を遮蔽することがないので、磁気センサ１８で腕時計ケース１の外部の磁界を良好に検出することができる。
【００６６】
また、この腕時計では、電池１６が電気的に接続されて磁気センサ１８が搭載された回路基板１７をケース本体２内に備え、この回路基板１７が電池１６のベース板部材２１に覆われる面の反対の面である上面側に配置されていることにより、回路基板１７に電池１６の電力を良好に供給することができる。
【００６７】
このため、この腕時計では、電池１６の電力が供給された回路基板１７によって、時計ムーブメント、表示部１５、および磁気センサ１８を駆動して制御することができると共に、磁気センサ１８で腕時計ケース１の外部磁界を検出して、その検出信号を回路基板１７に与えることができ、この検出信号に基づいて指針１４ａを運針させて方位を指示させることができる。
【００６８】
さらに、この腕時計では、電池１６が釦電池であることにより、市販の電池１６を購入して容易に交換することができると共に、シート貼付部材２０に設けられた磁性シート２３によって電池１６に発生する電磁場を遮蔽することができるので、外径が大きく厚みの薄い大型の電池１６を用いることができ、これにより時計モジュール１０の薄型化を図ることができ、これにより腕時計全体の薄型化を図ることができる。
【００６９】
なお、上述した実施形態では、磁性シート２３がベース板部材２１の取付凹部２１ｂにおける電池１６の中心部と磁気センサ１８の中心部とを結ぶ直線方向に長い帯状に形成されて、第２磁性シート部２３ｂが第１磁性シート部２３ａの端部で折り曲げられるように構成されている場合について述べたが、この発明は、これに限らず、例えば第１磁性シート部２３ａと第２磁性シート部２３ｂとを別々に形成して、個別にシート貼付部材２０に取り付けるようにしても良い。
【００７０】
また、上述した実施形態では、シート貼付部材２０についても、ベース板部材２１と側板部２２が一つに形成されていたが、この発明は、これに限らず、例えばベース板部材２１と側板部２２とを別々に形成して、ベース板部材２１に側板部２２を取り付けるようにしても良い。
【００７１】
また、上述した実施形態では、第１磁性シート２３は、電池１６の中心部と磁気センサ１８の中心部とを結ぶ直線方向と直交する方向の長さが、電池１６の外径よりも短く形成されているが、電池１６の外径と同じ長さで形成されても良い。
【００７２】
また、上述した実施形態では、側板部２２および第２磁性シート部２３ｂにおける電池１６の中心部と磁気センサ１８の中心部とを結ぶ直線に対して直交する方向の長さが、これに対応するベース板部材２１の取付凹部２１ｂの長さ、または第１磁性シート部２３ａの長さと同じ長さで形成されている場合について述べたが、この発明はこれに限らず、例えば図７に示す変形例ように構成しても良い。
【００７３】
すなわち、この変形例では、図７に示すように、側板部２２および第２磁性シート部２３ｂにおける電池１６の中心部と磁気センサ１８の中心部とを結ぶ直線に対して直交する方向の長さを、これに対応するベース板部材２１の取付凹部２１ｂの長さ、または第１磁性シート部２３ａの長さよりも長く形成した構造になっている。
【００７４】
このような構造では、第２磁性シート部２３ｂにおける電池１６の中心部と磁気センサ１８の中心部とを結ぶ直線に対して直交する方向の長さを、磁気センサ１８よりも更に長くすることができるので、電池１６で発生した電磁場のうち、磁気センサ１８に向かう磁界を、上述した実施形態よりも、より一層、確実に且つ良好に遮蔽することができる。
【００７５】
また、上述した実施形態では、シート貼付部材２０のベース板部材２１が電池１６を含む下部ハウジング１２の下面に重なるように形成されている場合について述べたが、この発明は、これに限らず、シート貼付部材２０のベース板部材２１が電池１６の下面の一部、つまり電池１６の中心部と磁気センサ１８の中心部とを結ぶ直線に沿って帯状に重なる形状であっても良い。すなわち、シート貼付部材２０のベース板部材２１は、外形が帯状に形成され、磁性シート２３の第１磁性シート部２３ａが配置される大きさであれば良い。
【００７６】
また、上述した実施形態では、磁気部品として磁気センサ１８を用いた場合について述べたが、この発明は、必ずしも磁気センサ１８である必要はなく、例えば電波を受信するアンテナであっても良い。
【００７７】
さらに、上述した実施形態では、腕時計に適用した場合について述べたが、この発明は、必ずしも腕時計である必要はなく、例えばトラベルウオッチ、目覚まし時計、置き時計、掛け時計などの各種の指針式の時計に適用することができる。また、この発明は、必ずしも時計である必要はなく、例えば携帯通信機や携帯端末機などの電子機器にも適用することができる。
【００７８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７９】
（付記）
請求項１に記載の発明は、平面視において重ならない位置に配置された電池および磁気部品が組み込まれる板状のモジュールと、少なくとも前記電池の一部に重なり、前記モジュールの一方の面に配置されるベース板部、及び、前記電池と前記磁気部品との間に配置される側板部から形成されるシート貼付部材と、前記ベース板部と前記側板部とに亘って設けられた磁性シートと、を備えることを特徴とする電子機器である。
【００８０】
請求項２に記載の発明は、請求項１に記載の電子機器において、前記磁性シートは前記ベース板部材のうち少なくとも平面視で前記電池と重なる部分に配置されることを特徴とする電子機器である。
【００８１】
請求項３に記載の発明は、請求項１または請求項２に記載の電子機器において、前記磁性シートは前記ベース板部材のうち少なくとも平面視で前記電池と重なる部分に配置され、かつ、前記磁気部品と重ならないように配置されることを特徴とする電子機器である。
【００８２】
請求項４に記載の発明は、請求項１〜請求項３に記載の電子機器において、前記磁気部品は磁気センサであることを特徴とする電子機器である。
である。
【００８３】
請求項５に記載の発明は、請求項１〜請求項４に記載の電子機器において、前記磁性シートは、前記シート貼付部材の前記ベース板部材に配置される第１磁性シート部と、前記シート貼付部材の前記側板部に配置される第２磁性シート部と、を備えていることを特徴とする電子機器である。
【００８４】
請求項６に記載の発明は、請求項５に記載の電子機器において、前記第１磁性シート部は、平面視における前記電池の中心部と前記磁気センサの中心部とを結ぶ直線方向の長さが前記電池の外径よりも長く、且つ前記直線方向と直交する方向の長さが前記電池の外径よりも短く形成されていることを特徴とする電子機器である。
【００８５】
請求項７に記載の発明は、請求項５または請求項６に記載の電子機器において、前記第１磁性シート部の面積は、前記ベース板部材と同じ、または、小さいことを特徴とする電子機器である。
【００８６】
請求項８に記載の発明は、請求項６に記載の電子機器において、前記第１磁性シート部は、平面視における前記電池の中心部と前記磁気センサの中心部とを結ぶ前記直線に重なることを特徴とする電子機器である。
【００８７】
請求項９に記載の発明は、請求項６〜請求項８に記載の電子機器において、前記第２磁性シート部は、前記電池の中心部と前記磁気センサの中心部とを結ぶ直線と交わることを特徴とする電子機器である。
【００８８】
請求項１０に記載の発明は、請求項６〜請求項９のいずれかに記載の電子機器において、前記第２磁性シート部は、平面視における前記電池の中心部と前記磁気センサの中心部とを結ぶ前記直線方向と直交する方向の長さが前記磁気センサよりも長く形成されていることを特徴とする電子機器である。
【００８９】
請求項１１に記載の発明は、請求項６〜請求項１０のいずれかに記載の電子機器において、前記第２磁性シート部は、平面視における前記電池の中心部と前記磁気センサの中心部とを結ぶ前記直線方向と直交する方向の長さが、前記第１磁性シートと同じか、それよりも長く形成されていることを特徴とする電子機器である。
【００９０】
請求項１２に記載の発明は、請求項４〜請求項１１のいずれかに記載の電子機器において、前記電池が電気的に接続されて前記磁気センサが搭載される回路基板を前記モジュール内に備え、前記回路基板は、前記電池の上面側に配置されていることを特徴とする電子機器である。
【００９１】
請求項１３に記載の発明は、請求項１〜請求項１２のいずれかに記載の電子機器において、前記電池は釦電池であることを特徴とする電子機器である。
【００９２】
請求項１４に記載の発明は、請求項１〜請求項１３のいずれかに記載された電子機器であることを特徴とする時計である。
【符号の説明】
【００９３】
１  腕時計ケース
２  ケース本体
２ａ  センサ収容部
３  外装部材
１０  時計モジュール
１１  上部ハウジング
１２  下部ハウジング
１２ａ  電池収容部
１４ａ  指針
１４ｂ  文字板
１６  電池
１７  回路基板
１７ａ  突出部
１８  磁気センサ
１９  基板収容部
２０  シート貼付部材
２１  ベース板部材
２１ａ  逃し凹部
２１ｂ  取付凹部
２１ｃ  開口部
２２  側板部
２３  磁性シート
２３ａ  第１磁性シート部
２３ｂ  第２磁性シート部
【図１】
2020101397.tif 000003
【図２】
2020101397.tif 000004
【図３】
2020101397.tif 000005
【図４】
2020101397.tif 000006
【図５】
2020101397.tif 000007
【図６】
2020101397.tif 000008
【図７】
2020101397.tif 000009